(57)【要約】【課題】水室内に堆積した異物を排出可能な復水器を提供する。【解決手段】本実施形態に係る復水器は、一方の開口部を介して管内に流入される海水を他方の開口部から流出する第１冷却管であって、管内に流入される海水との熱交換により蒸気タービンから供給される蒸気を冷却する第１冷却管と、第１冷却管の他方の開口部が設けられ、他方の開口部から流入される前記海水を折り返す折り返し水室と、折り返し水室内に一方の開口部が設けられ、折り返し水室から一方の開口部を介して管内に流入される海水を他方の開口部から流出する第２冷却管であって、管内に流入される海水との熱交換により蒸気タービンから供給される蒸気を冷却する第２冷却管と、折り返し水室内の排出口部を介して折り返し水室内の海水を排出する排出管と、を備えることを特徴とする。【選択図】図１
2017138083.tif 000002
【特許請求の範囲】
【請求項１】
一方の開口部を介して管内に流入した海水が他方の開口部から流出する第１冷却管であって、前記管内に流入した海水との熱交換により蒸気タービンから供給される蒸気を冷却する第１冷却管と、
前記第１冷却管の前記他方の開口部が設けられ、当該他方の開口部から流入した前記海水を折り返す折り返し水室と、
前記折り返し水室内に一方の開口部が設けられ、当該折り返し水室から当該一方の開口部を介して管内に流入した海水が他方の開口部から流出する第２冷却管であって、当該管内に流入した海水との熱交換により前記蒸気タービンから供給される蒸気を冷却する第２冷却管と、
前記折り返し水室内の排出口部を介して当該折り返し水室内の海水を排出可能にする排出管と、
を備えることを特徴とする復水器。
【請求項２】
前記排出口部は、前記折り返し水室の底部に設けられることを特徴とする請求項１に記載の復水器。
【請求項３】
前記排出管の管路途中に設けられ、前記排出管からの海水の排出を開閉制御する排出弁を更に備えるとことを特徴とする請求項１又は２に記載の復水器。
【請求項４】
前記折り返し水室に設けられ、前記排出管からの海水の排出を前記排出口部において開閉制御する排出弁を更に備えるとことを特徴とする請求項１又は２に記載の復水器。
【請求項５】
前記排出弁における開閉動作の制御を行う制御部を更に備えることを特徴とする請求項３又は４に記載の復水器。
【請求項６】
前記制御部は、前記第１冷却管及び前記第２冷却管内にスポンジ状ボールが通過させられる期間において、前記排出弁を閉じる制御を行うことを特徴とする請求項５に記載の復水器。
【請求項７】
前記制御部は、前記第１冷却管及び前記第２冷却管内を通過させられるスポンジ状ボールの通過が停止させられた時に基づき、前記排出弁を開ける制御を行うことを特徴とする請求項５又は６に記載の復水器。
【請求項８】
前記第２冷却管から流出した海水を放水する放水管にボール洗浄装置の捕集器が設けられており、
前記排出管は、一方の開口部が前記排出口部に接続され、他方の開口部が
前記放水管における前記捕集器の上流側に接続されることを特徴とする請求項１に記載の復水器。
【請求項９】
前記排出管に用水を噴出する用水管の管路を開閉する遮断弁と、
前記排出管と前記用水管の合流する位置に設置されるエゼクタと、
を更に備え、
前記制御部は、前記排出弁及び前記遮断弁を開けている期間において、前記エゼクタを起動させる制御を行うことを特徴とする請求項５乃至７のいずれか一項に記載の復水器。
【請求項１０】
前記排出管内の海水を排水する排水ポンプを更に備え、
前記制御部は、前記排出弁を開けている期間において、前記排水ポンプを起動させる制御を行うことを特徴とする請求項５乃至７のいずれか一項に記載の復水器。
【請求項１１】
第１冷却管から流入した海水を第２冷却管へと流出させる折り返し水室と、前記折り返し水室内の排出口部を介して海水を排出する排出管と、前記排出管から排出される海水の流路を開閉する排出弁と、を有する復水器の制御方法であって、
前記第１冷却管内及び前記第２冷却管内にスポンジ状ボールを投入する工程と、
前記スポンジ状ボールの投入の停止に応じて前記排出弁を開ける工程と、を備えることを特徴とする復水器の制御方法。
【請求項１２】
第１冷却管から流入した海水を第２冷却管へと流出させる折り返し水室と、前記折り返し水室内の排出口部を介して海水を排出する排出管と、前記排出管から排出される海水の流路を開閉する排出弁と、前記排水弁の開閉を制御する制御部と、を有する復水器と、
前記第１冷却管内及び前記第２冷却管内にスポンジ状ボールを投入するボール洗浄装置と、
を備える冷却水システムであって、
前記制御部は、前記スポンジ状ボールの投入を前記ボール洗浄装置が停止するタイミングに基づき、前記排出弁を開けさせることを特徴とする冷却水システム。
【発明の詳細な説明】
【技術分野】
【０００１】
本発明による実施形態は、復水器、復水器の制御方法、及び冷却水システムに関する。
【背景技術】
【０００２】
一般に、蒸気タービン発電プラントの復水器には、冷却水として海水が使用されている。この海水には海洋生物等の異物が含まれるので、復水器の冷却管内を通る海水の清浄度が悪化し、復水器における冷却性能の低下および出入口温度差の拡大が生じ得る。このため、復水器への異物流入および堆積を防止する対策として、復水器入口への除塵装置の設置、海水電解装置による次亜塩素酸ナトリウムの注入、および冷却管内にスポンジ状ボールを通過させて洗浄するボール洗浄などが行われている。
【０００３】
また、このような復水器の例として、１パス型の復水器と、２パス型の復水器とが知られている。図７Ａに示すように、１パス型の復水器は、入口水室と出口水室とが冷却管で直線状に接続され、入口水室に流入した海水は冷却管内を通り出口水室へと流出する。一方で、一定の水量でタービンからの蒸気を効率よく凝縮させるべく、図７Ｂに示すように、２パス型の復水器がある。これは、入口水室と出口水室との間に折り返し水室を有する。この入口水室に流入した海水は最初の冷却管内を通り折り返し水室へと流出し、折り返し水室に流入した海水は折り返され、次の冷却管内を通り出口水室へと流出する。しかしながら、２パス型の復水器の場合、上述の洗浄などを行っても、折り返し水室内に流入される海洋生物等の異物が堆積する場合があり、冷却水を折り返す意味が薄れる。そのため折り返し水室内に堆積する異物を排出する必要がある。
【先行技術文献】
【特許文献】
【０００４】
【特許文献１】特開２００２−８１８９０号公報
【発明の概要】
【発明が解決しようとする課題】
【０００５】
そこで、本実施形態は、このような点を考慮してなされたものであり、折り返し水室内に滞留或いは堆積する異物を排出可能な復水器を提供することを目的とする。
【課題を解決するための手段】
【０００６】
本実施形態に係る復水器は、一方の開口部を介して管内に流入した海水が他方の開口部から流出する第１冷却管であって、前記管内に流入した海水との熱交換により蒸気タービンから供給される蒸気を冷却する第１冷却管と、
前記第１冷却管の前記他方の開口部が設けられ、当該他方の開口部から流入した前記海水を折り返す折り返し水室と、
前記折り返し水室内に一方の開口部が設けられ、当該折り返し水室から当該一方の開口部を介して管内に流入した海水が他方の開口部から流出する第２冷却管であって、当該管内に流入した海水との熱交換により前記蒸気タービンから供給される蒸気を冷却する第２冷却管と、
前記折り返し水室内の排出口部を介して当該折り返し水室内の海水を排出可能にする排出管と、
を備えることを特徴とする。
【０００７】
本実施形態に係る復水器の制御方法は、第１冷却管から流入した海水を第２冷却管へと流出させる折り返し水室と、前記折り返し水室内の排出口部を介して海水を排出する排出管と、前記排出管から排出される海水の流路を開閉する排出弁と、を有する復水器の制御方法であって、
前記第１冷却管内及び前記第２冷却管内にスポンジ状ボールを投入する工程と、
前記スポンジ状ボールの投入の停止に応じて前記排出弁を開ける工程と、を備えることを特徴とする。
【０００８】
本実施形態に係る冷却水システムは、第１冷却管から流入した海水を第２冷却管へと流出させる折り返し水室と、前記折り返し水室内の排出口部を介して海水を排出する排出管と、前記排出管から排出される海水の流路を開閉する排出弁と、前記排水弁の開閉を制御する制御部と、を有する復水器と、
前記第１冷却管内及び前記第２冷却管内にスポンジ状ボールを投入するボール洗浄装置と、
を備える冷却水システムであって、
前記制御部は、前記スポンジ状ボールの投入を前記ボール洗浄装置が停止するタイミングに基づき、前記排出弁を開けさせることを特徴とする。
【発明の効果】
【０００９】
折り返し水室内に滞留或いは堆積する異物を排出可能な復水器を提供することができる。
【図面の簡単な説明】
【００１０】
【図１】第１実施形態に係る冷却水システムの構成図。
【図２】第１実施形態に係る冷却水システムの変形例を示す構成図。
【図３】第２実施形態に係る冷却水システムの構成図。
【図４】第３実施形態に係る冷却水システムの構成図。
【図５】第４実施形態に係る冷却水システムの構成図。
【図６】第５実施形態に係る冷却水システムの構成図。
【図７Ａ】１パス型復水器の構成図。
【図７Ｂ】２パス型復水器の構成図。
【発明を実施するための形態】
【００１１】
以下、図面を参照して、本発明の実施形態について説明する。本実施形態は、本発明を限定するものではない。
【００１２】
（第１実施形態）
本実施形態に係る復水器は、折り返し水室内の排出口部を介して折り返し水室内に滞留或いは堆積する異物を排出可能にする排出管を設けることで、折り返し水室内に異物が堆積することを回避しようとしたものである。より詳しく、以下に説明する。
【００１３】
図１に基づいて第１実施形態に係る冷却水システム１の構成を説明する。図１は、第１実施形態に係る冷却水システム１の構成図である。また、図１は、平面図であり、復水器２００の水平断面が概略的に示されている。この図１に示すように、冷却水システム１は、発電プラント内の蒸気タービンから供給される蒸気を海水により冷却するシステムであり、循環水ポンプ１００と、取水管１２０と、復水器２００と、放水管３００と、除塵装置４００と、ボール洗浄装置５００と、を備えて構成されている。
【００１４】
循環水ポンプ１００は、取水管１２０に接続され、取水した海水を取水管１２０に送水する。取水管１２０は、循環水ポンプ１００と復水器２００とに接続され、循環水ポンプ１００から送水された海水を復水器２００に供給する。
【００１５】
復水器２００は、取水管１２０を介して流入する海水との熱交換により、蒸気タービンから供給される蒸気を冷却する。復水器２００の詳細な構造は後述する。
【００１６】
放水管３００は、復水器２００に接続され、復水器２００から流入した海水を放水路に放水する。除塵装置４００は、取水管１２０の管路途中に設置され、取水管１２０の中を流れる海水中の海洋生物や異物を捕集する。この除塵装置４００の詳細な構造についても後述する。
【００１７】
ボール洗浄装置５００は、取水管１２０内にスポンジ状ボールを放出し、復水器２００の内部を洗浄する。このスポンジ状ボールは、復水器２００の内部を通って、放水管３００を介してボール洗浄装置５００に回収される。このボール洗浄装置５００の詳細な構造についても後述する。
【００１８】
次に、復水器２００の詳細な構成を説明する。この復水器２００は、入口水室２０２と、第１冷却管２０４と、折り返し水室２０６と、第２冷却管２０８と、出口水室２１０と、第１排出管２１２と、第１排水弁２１４とを、備えて構成されている。
【００１９】
入口水室２０２には、取水管１２０と第１冷却管２０４とが接続されている。この入口水室２０２は、その内部に第１冷却管２０４の一方の開口部２０４ａが設けられている。これにより、取水管１２０の中を通って入口水室２０２の内部に流入した海水が、開口部２０４ａを介して第１冷却管２０４の中へと流出する。
【００２０】
第１冷却管２０４は、複数の細管で構成されるが、図１は便宜上、１本の管で表してあり、入口水室２０２と折り返し水室２０６とに接続されている。これにより、第１冷却管２０４の中には、入口水室２０２の内部における開口部２０４ａを介して海水が流入する。そして、第１冷却管２０４の中へ流入した海水は、他方の開口部２０４ｂを介して、折り返し水室２０６の内部へと流出する。また、蒸気タービンから供給される蒸気は、第１冷却管２０４の中を流れる海水との熱交換により冷却される。
【００２１】
折り返し水室２０６には、第１冷却管２０４と第２冷却管２０８とが接続されている。この折り返し水室２０６は、その内部に第１冷却管２０４の他方の開口部２０４ｂと第２冷却管２０８の一方の開口部２０８ａとが設けられている。これにより、第１冷却管２０４の中に流入した海水が、折り返し水室２０６の内部へと流出する。そして、折り返し水室２０６の中部へ流入した海水は折り返され、一方の開口部２０８ａを介して第２冷却管２０８の中へと流出する。また、折り返し水室２０６には、海水を排出する排出口部２０６ａが設けられている。
【００２２】
第２冷却管２０８は、複数の細管で構成されているが、便宜上、１本の管で表してあり、折り返し水室２０６と出口水室２１０とに接続されている。この第２冷却管２０８の中には、その一方の開口部２０８ａを介して、折り返し水室２０６の内部における海水が流入する。そして、第２冷却管２０８の中へ流入した海水は、その他方の開口部２０８ｂを介して、出口水室２１０の内部へと流出する。また、蒸気タービンから供給される蒸気は、第２冷却管２０８の中を流れる海水との熱交換により冷却される。
【００２３】
出口水室２１０は、その内部に第２冷却管２０８の開口部２０８ｂが設けられている。これにより、第２冷却管２０８の中に流入した海水が開口部２０８ｂを介して出口水室２１０の内部へと流出する。
【００２４】
排出管２１２は、その一方の開口部２１２ａが折り返し水室２０６の内部における排出口部２０６ａと接続されている。これにより、排出管２１２は、排出口部２０６ａを介して、折り返し水室２０６の内部における滞留或いは堆積する異物を海水と共に排出可能にする。また、排出管２１２は、その他方の開口部２１２ｂを介して放水管３００に接続されている。
【００２５】
一般に、折り返し水室２０６の内部における海洋生物、例えば貝は、開口部２０４ｂの付近に付着し繁殖する。この貝などの死骸やその他異物は、折り返し水室２０６の内部における海水の流れにより、開口部２０４ｂ側から開口部２０８ａ側に運ばれ堆積する。このため、図１に示すように、開口部２０４ｂ側よりも開口部２０８ａ側に寄った位置に排出口部２０６ａが設けられている。このように、排出口部２０６ａを異物が滞留或いは堆積し易い箇所に設けることで、折り返し水室２０６の内部に滞留或いは堆積する異物をより効率的に排出することが可能である。また、折り返し水室２０６の底部、紙面の奥側に海水の淀みができるので、折り返し水室２０６の底部に排出口部２０６ａを設けることで、滞留或いは堆積する異物などをより効率的に排出口部２０６ａから排出することが可能である。
【００２６】
排出弁２１４は、排出管２１２の管路途中に設けられ、排出管２１２からの海水の排出をモータの駆動で開閉制御する。つまり、排出弁２１４は、排出管２１２の中に流入する海水の流路を開閉する。また、折り返し水室２０６の内部における水圧の方が放水管３００の中における水圧よりも高い。このため、排出弁２１４が開かれると、水圧の差により折り返し水室２０６の内部において滞留或いは堆積する異物などが、排出口部２０６ａを介して排出管２１２の中へと排出される。なお、本実施形態においては、排出管２１２が、折り返し水室２０６内の排出口部２０６ａを介して、折り返し水室２０６内の海水を排出する排出管を構成しており、排水弁２１４が、排出管２１２の管路途中に設けられる排出弁を構成している。
【００２７】
次に、除塵装置４００の詳細な構成を説明する。この除塵装置４００は、フィルタ４０２と、差圧計４０４と、排出管４０６と、第２排出弁４０８と、を備えて構成されている。フィルタ４０２は、取水管１２０内を流れる海水中の海洋生物や異物を捕集する。差圧計４０４は、フィルタ４０２の海水流入側の水圧と、フィルタ４０２の海水流出側の水圧との差圧を検出する。この差圧計４０４は、設定された差圧を検出すると、開信号を出力する。また、排出管４０６は、放水管３００とフィルタ４０２とに接続されている。
【００２８】
排出弁４０８は、排出管４０６の管路途中に設置され、モータの駆動により弁を開閉する。排出弁４０８が差圧計４０４の開信号に従い弁を開くと、フィルタ４０２で捕集された異物が排出管４０６の中を通り、放水管３００の中に排出される。
【００２９】
次に、ボール洗浄装置５００の詳細な構成を説明する。ボール洗浄装置５００は、第１冷却管２０４の中および第２冷却管２０８の中にスポンジ状ボールを放出し、第１冷却管２０４および第２冷却管２０８の中を洗浄する。このボール洗浄装置５００は、ボール送り管５０２と、ボール回収部５０４と、ボール戻り管５０６と、捕集器５０８と、ボール止め弁５１０、５１２とを、備えて構成されている。ボール送り管５０２は、取水管１２０とボール回収部５０４とに接続されている。
【００３０】
ボール回収部５０４は、ボール送り管５０２を介して、スポンジ状ボールを投入すると共に、ボール戻り管５０６を介して戻ったスポンジ状ボールを回収する。ボール戻り管５０６は、ボール回収部５０４と捕集器５０８とに接続されている。
【００３１】
ここで、スポンジ状ボールの大きさは、第１冷却管２０４を構成する細管及び第２冷却管２０８を構成する細管の直径に基づき定められている。すなわち、スポンジ状ボールの直径は、細管の直径よりも大きく、且つ圧縮された状態で細管の中を流れる程度の直径とされている。これにより、スポンジ状ボールが細管の内壁を擦りつつ流れることにより、第１及び第２冷却管２０４、２０８の中における異物などが洗浄されるのである。
【００３２】
ボール止め弁５１０は、ボール送り管５０２の管路途中に設置されている。このボール止め弁５１０が開くことにより、スポンジ状ボールがボール回収部５０４からボール送り管５０２を介して取水管１２０に放出される。捕集器５０８は、放水管３００の管路途中に設置され、放水管３００の中を流れるスポンジ状ボールを捕集する。
【００３３】
ボール止め弁５１２は、ボール戻り管５０６の管路途中に設置されている。このボール止め弁５１２が開くことにより、捕集器５０８で捕集されるスポンジ状ボールがボール戻り管５０６を介してボール回収部５０４に回収される。
【００３４】
以上が本実施形態に係る冷却水システム１の構成の説明であるが、次に冷却水システム１の動作例を説明する。
【００３５】
まず、ここでは、通常時の動作を説明する。循環水ポンプ１００から送水された海水は、取水管１２０を介して入口水室２０２の内部へ流入し、入口水室２０２の内部から第１冷却管２０４の中へと流出する。第１冷却管２０４の中へ流入した海水は、タービンから排出される蒸気と熱交換し、折り返し水室２０６の内部へと流出する。続いて、折り返し水室２０６の内部に流入した海水は折り返され、折り返し水室２０６の内部から第２冷却管２０８の中へと流出する。第２冷却管２０８の中へ流入した海水は、タービンから排出された蒸気と熱交換し、出口水室２１０の内部へと流出する。そして、出口水室２１０の内部に流入した海水は、出口水室２１０の内部から放水管３００の中へと流出し、放水路へと放出される。排出弁２１４は、通常時には、閉状態にされている。
【００３６】
また、除塵装置４００は、取水管１２０を流れる海水中の海洋生物や異物をフィルタ４０２で捕集する。そして、差圧計４０４が設定された差圧を検出すると、排出弁４０８が開かれる。これにより、フィルタ４０２で捕集された異物が排出管４０６の中を通り、放水管３００の中へと排出される。ボール洗浄装置５００は通常時には停止している。
【００３７】
次に、ボール洗浄装置５００の駆動時の動作について説明する。ボール洗浄装置５００は、操作者の指示に従い、任意の時間に起動される。まず、発電プラントの運転中に、ボール回収部５０４が、ボール送り管５０２を介して、スポンジ状ボールを投入する。続いて、ボール回収部５０４が、捕集器５０８及びボール戻り管５０６を介して戻ったスポンジ状ボールを回収すると共に、ボール送り管５０２を介して、スポンジ状ボールを再投入する。このように、スポンジ状ボールが、取水管１２０、入口水室２０２、第１冷却管２０４、折り返し水室２０６、第２冷却管２０８、出口水室２１０、及び放水管３００を順に通過し、捕集器５０８で捕集され、循環を繰り返す。続いて、第１ボール止め弁５１０を閉状態にし、且つ第２ボール止め弁５１２を開状態で維持し、循環しているスポンジ状ボールをボール回収部５０４に回収する。さらに続いて、全てのスポンジ状ボールを回収した後に、第２ボール止め弁５１２を閉状態にしてボール洗浄装置５００の駆動を停止する。
【００３８】
次に、排出弁２１４をスポンジ状ボールを用いて第１冷却管２０４及び第２冷却管２０８の中を洗浄した後に開状態にする。これにより、折り返し水室２０６の内部における異物が排出管２１２を通り、放水管３００の中に排出される。このため、スポンジ状ボールが循環している間に取り除かれた異物などが、折り返し水室２０６の内部から外部に排出される。更に、全てのスポンジ状ボールは、ボール回収部５０４に回収されているので、排出管２１２を介して放水路に放出されることが回避されている。続いて、排出弁２１４を閉状態にし、通常時の動作に戻る。
【００３９】
これらのことから分かるように、スポンジ状ボールが第１冷却管２０４、第２冷却管２０８、及び折り返し水室２０６を通過している間は、排出弁２１４が閉じられている。このため、スポンジ状ボールが排出管２１２を介して放水路に放出されることが回避されている。しかしながら、折り返し水室２０６で成長した貝などは洗浄しきれずに、折り返し水室２０６でに溜まってしまう従来の課題があったが、本実施形態では、スポンジ状ボールを用いて第１冷却管２０４及び第２冷却管２０８の中を洗浄した後に排出弁２１４を開くことで、洗浄で発生した異物や浮遊する海洋生物などを排出管２１２の中に排出できる。これにより、洗浄で発生した異物などを折り返し水室２０６の内部からより効率的に排出できる。
【００４０】
以上のように、本実施形態に係る復水器２００によれば、排出口部２０６ａ及び排出管２１２を介し、折り返し水室２０６の内部に滞留或いは堆積する第２の冷却管を通れない大きな異物を折り返し水室２０６の外部に排出させることとした。これにより、折り返し水室２０６内に異物などが堆積することを回避できる。さらにまた、排出管２１２の管路に排出弁２１４を設けることにより、排出管２１２を介し、折り返し水室２０６の内部に滞留或いは堆積する異物などを任意の時間に排出することができる。
【００４１】
（変形例）
図２に基づいて第１実施形態に係る冷却水システム１の変形例を説明する。図２は、第１実施形態に係る冷却水システム１の変形例を示す構成図である。この図２に示すように、排出弁２１４が折り返し水室２０６に直接接続されることで、第１実施形態に係る冷却水システム１と相違する。つまり、排出弁２１４が折り返し水室２０６の排出口部２０６ａを塞ぐように設けられており、排出弁２１４を閉じても排出口部２０６ａにポケット状の窪みができないように構成されている。このため、排出弁２１４を閉じた場合に、堆積物が排出口部２０６ａに堆積されることが回避される。
【００４２】
以上のように、変形例に係る復水器２００によれば、折り返し水室２０６の排出口部２０６ａを塞ぐように排出弁２１４を設けることとした。これにより、排出弁２１４を閉じた場合に、堆積物が排出口部２０６ａに堆積されることが回避される。
【００４３】
（第２実施形態）
本実施形態に係る復水器は、ボール洗浄装置の制御動作に基づき、排出弁に対して制御を行う制御部を設けることで、ボール洗浄のタイミングに合わせて、折り返し水室の内部に滞留或いは堆積する異物を排出管から排出するようにしたものである。以下、上述した第１実施形態と異なる部分を説明する。
【００４４】
図３に基づいて第２実施形態に係る冷却水システム１の構成を説明する。図３は、第２実施形態に係る冷却水システム１の構成図である。この図３に示すように、復水器２００は、制御部２１５を更に備えることで、第１の実施形態に係る冷却水システム１と相違する。第１の実施形態に係る冷却水システム１と同一の構成には、同一の符号を付し、重複する説明は省略する。
【００４５】
制御部２１５にはボール洗浄装置５００の動作信号が入力されている。この制御部２１５は、ボール洗浄装置５００の動作信号に基づいて排出弁２１４を制御する。
【００４６】
次に、制御部２１５の制御動作例を説明する。ここでは、ボール洗浄装置５００の駆動時の動作について説明する。まず、ボール洗浄装置５００は、予め定められた期間Ｔ１の間、ボール回収部５０４からスポンジ状ボールを放出する。この場合、ボール洗浄装置５００は、スポンジ状ボールを循環させていることを示す信号を制御部２１５に出力する。制御部２１５は、この信号が入力される場合に、排出弁２１４が開いていれば、排出弁２１４を閉じさせる制御を行う。
【００４７】
次に、ボール洗浄装置５００は、予め定められた期間Ｔ２の間、ボール止め弁５１０を閉状態にし、且つボール止め弁５１２を開状態で維持し、循環している全てのスポンジ状ボールをボール回収部５０４に回収させる。さらに続いて、ボール洗浄装置５００は、全てのスポンジ状ボールを回収した後に第２ボール止め弁５１２を閉状態にすると共に、制御部２１５に、スポンジ状ボールの投入を停止したことを示す信号を出力する。
【００４８】
制御部２１５は、スポンジ状ボールの投入を停止したことを示す信号が入力されると、予め定められた期間Ｔ３の間、排出弁２１４を開状態にする。これにより、水室内に滞留或いは堆積する異物が排出管２１２内を通り、放水管３００内に排出される。そして、期間Ｔ３の経過後に、排出弁２１４を閉状態にする。ここで、Ｔ１＞Ｔ３である。
【００４９】
このように、ボール洗浄装置５００における停止のタイミングに合わせて、排出弁２１４を開くことで、より効率的に折り返し水室２０６の内部における異物などを排出管２１２に排出することができる。つまり、ボール洗浄装置５００の停止直後は、第１冷却管２０４の中、及び第２冷却管２０８の中に付着した海洋生物が脱落したタイミングであり、より効率的に滞留する異物などを排出管２１２に排出することが可能である。また、第１冷却管２０４の中及び第２冷却管２０８の中にボール洗浄装置５００がスポンジ状ボールを通過させている間は、排出弁２１４が閉じられている。これにより、スポンジ状ボールが排出管２１２から排出されることが回避される。
【００５０】
以上のように、本実施形態に係る復水器２００によれば、制御部２１５が、ボール洗浄装置５００における停止のタイミングに合わせて、排出弁２１４を開くこととした。これにより、折り返し水室２０６内に滞留或いは堆積する異物などをより効率的に排出することができる。また、制御部２１５が、第１冷却管２０４内及び第２冷却管２０８内にボール洗浄装置５００がスポンジ状ボールを通過させている間、排出弁２１４を閉じさせることとした。これにより、スポンジ状ボールが排出管２１２から排出されることが回避される。
【００５１】
（第３実施形態）
本実施形態に係る復水器は、第１排出管の他方の開口部を捕集器の上流側に接続することで、折り返し水室内の海水を第１排出管から常に排出するようにしたものである。以下、上述した第１実施形態と異なる部分を説明する。
【００５２】
図４に基づいて第３実施形態に係る冷却水システム１の構成を説明する。図４は、第３実施形態に係る冷却水システム１の構成図である。この図４に示すように、排出管２１２の開口部２１２ｂが放水管３００に接続される位置が、捕集器５０８の上流側であることで、第１の実施形態に係る冷却水システム１と相違する。第１の実施形態に係る冷却水システム１と同一の構成には、同一の符号を付し、重複する説明は省略する。排出管２１２の開口部２１２ｂが捕集器５０８の上流側に接続されるので、スポンジ状ボールが、排出管２１２に流入した場合でも、放水路に放出されることが回避される。このため、排出弁２１４を排出管２１２の管路に設けなくとも、スポンジ状ボールが放水路に放出されることが回避可能である。これにより、折り返し水室２０６の内部における海水を、排出管２１２を介して常に排出できるので、スポンジ状ボールで洗浄中にも、折り返し水室２０６の内部に滞留或いは堆積する異物が蓄積されるのを防ぐことができる。また、折り返し水室２０６の内部における排出口部２０６ａにスポンジ状ボールの進入を防ぐネットなどを設けてもよい。
【００５３】
以上のように、本実施形態に係る復水器２００によれば、排出管２１２の接続位置を捕集器５０８の上流位置とした。これにより、折り返し水室２０６の内部に滞留或いは堆積する異物を排出管２１２を介して常に排出できるので、折り返し水室２０６の内部に異物などが蓄積されるのをより効率的に防ぐことができる。
【００５４】
（第４実施形態）
本実施形態に係る復水器は、第１排出管の管路にエグゼクタを設けることにより、エグゼクタの吸引力で、水室の内部に滞留或いは蓄積する異物などをより効率的に排出するようにしたものである。以下、上述した第２実施形態と異なる部分を説明する。
【００５５】
図５に基づいて第４実施形態に係る冷却水システム１の構成を説明する。図５は、第４実施形態に係る冷却水システム１の構成図である。この図５に示すように、排出管２１２の開口部２１２ｂがピット、やな場等に接続され、復水器２００が遮断弁２１６と、エゼクタ２１８と、を更に備えることで、第２の実施形態に係る冷却水システム１と相違する。第２の実施形態に係る冷却水システム１と同一の構成には、同一の符号を付し、重複する説明は省略する。
【００５６】
用水管２２０は、排出管２１２に接続されている。遮断弁２１６は、用水管２２０の管路を開閉する。エゼクタ２１８は、排出管２１２と用水管２２０との合流位置に設置されている。エゼクタ２１８は、折り返し水室２０６からの海水を吸引し、排出管２１２に噴射する。
【００５７】
制御部２１５は、遮断弁２１６と、エゼクタ２１８とを更に制御する。これにより、排出弁２１４の開動作に合わせて遮断弁２１６を開くことで、用水がエゼクタ２１８に流入し、折り返し水室２０６の内部における異物の排出を促進することができる。また、ボール洗浄装置５００の停止に応じて、制御部２１５が排出弁２１４と遮断弁２１６とを開くことで、より効率的に折り返し水室２０６の内部に滞留或いは蓄積する異物などをピット、やな場等に排出することができる。
【００５８】
以上のように、本実施形態に係る復水器２００によれば、排出管２１２の管路にエグゼクタ２１８を設けることとした。これにより、エグゼクタ２１８の吸引力で、折り返し水室２０６の内部に滞留或いは蓄積する異物などをより効率的に排出できると共に、異物などをやな場などに排出できる。
【００５９】
（第５実施形態）
本実施形態に係る復水器は、第１排出管の管路に排水ポンプを設けることにより、排水ポンプの排水力で、水室の内部に滞留或いは蓄積する異物などをより効率的に排出するようにしたものである。以下、上述した第２実施形態と異なる部分を説明する。
【００６０】
図６に基づいて第５実施形態に係る冷却水システム１の構成を説明する。図６は、第５実施形態に係る冷却水システム１の構成図である。この図６に示すように、排出管２１２の開口部２１２ｂがピット、やな場等に接続され、復水器２００が排水ポンプ２２２を更に備えることで、第２の実施形態に係る冷却水システム１と相違する。第２の実施形態に係る冷却水システム１と同一の構成には、同一の符号を付し、重複する説明は省略する。
【００６１】
制御部２１５は、更に排水ポンプ２２２を制御する。これにより、排出弁２１４の開動作に合わせて排水ポンプ２２２を起動することで、一定の時間内に折り返し水室２０６の内部における異物をより遠くのピット、やな場等に排出することができる。
【００６２】
以上のように、本実施形態に係る復水器２００によれば、排出管２１２の管路に排水ポンプ２２２を設けることとした。これにより、排水ポンプ２２２の排水力で、折り返し水室２０６の内部に滞留或いは蓄積する異物などをより効率的に排出できると共に、異物などをやな場などに排出できる。
【００６３】
以上、いくつかの実施形態を説明したが、これらの実施形態は、例としてのみ提示したものであり、発明の範囲を限定することを意図したものではない。本明細書で説明した新規な装置、方法、およびシステムは、その他の様々な形態で実施することができる。また、本明細書で説明した装置、方法、およびシステムの形態に対し、発明の要旨を逸脱しない範囲内で、種々の省略、置換、変更を行うことができる。添付の特許請求の範囲およびこれに均等な範囲は、発明の範囲や要旨に含まれるこのような形態や変形例を含むように意図されている。
【符号の説明】
【００６４】
１：冷却水システム、２００：復水器、２０４：第１冷却管、２０６：折り返し水室、２０８：第２冷却管、２１２：第１排出管、２１４：第１排水弁、２１５：制御部、２１６：遮断弁、２１８：エゼクタ、２２２：排水ポンプ、３００：放水管、５００：ボール洗浄装置、５０８：捕集器
【図１】
2017138083.tif 000003
【図２】
2017138083.tif 000004
【図３】
2017138083.tif 000005
【図４】
2017138083.tif 000006
【図５】
2017138083.tif 000007
【図６】
2017138083.tif 000008
【図７Ａ】
2017138083.tif 000009
【図７Ｂ】
2017138083.tif 000010